(57)【要約】      （修正有）【課題】フォーカスガイド実行中は、映像出力の解像度切り替えを禁止するカメラを提供する。【解決手段】映像を撮影するカメラ１００において、撮影した映像を出力する映像出力手段と、映像出力手段から出力する映像の解像度を変更する解像度変更手段と、撮影を補助する撮影補助手段を備える。撮影補助手段を使用している状態では、解像度変更手段による解像度の変更を禁止する。【選択図】図１
2019110372.tif 000002
【特許請求の範囲】
【請求項１】
映像を撮影するカメラにおいて、
撮影した映像を出力する映像出力手段と、
映像出力手段から出力する映像の解像度を変更する解像度変更手段と、
撮影を補助する撮影補助手段を備え、
撮影補助手段を使用している状態では、解像度変更手段による解像度の変更を禁止することを特徴とする。
【請求項２】
請求項1に記載のカメラにおいて、
解像度の変更は、解像度を高くする方向にのみ禁止し、解像度を低くする方向への変更は禁止しないことを特徴とする。
【請求項３】
請求項１に記載のカメラにおいて、
解像度の変更は、映像出力手段の伝送帯域が広がる方向に切り替わる場合に限って禁止し、伝送帯域が変わらないか、伝送帯域が狭くなる場合は禁止しないことを特徴とする。
【請求項４】
請求項1に記載のカメラにおいて、
撮影補助手段とは、フォーカス合わせをアシストする機能であることを特徴とする。
【請求項５】
請求項1に記載のカメラにおいて、
解像度を変更する警告を表示する警告表示手段を備え、
警告表示を行った場合は、解像度の変更を禁止しないことを特徴とする。
【請求項６】
請求項1に記載のカメラにおいて、
撮影した映像を表示する取り外し可能な表示手段を備え、
表示手段が装着された場合は、解像度の変更を禁止しないことを特徴とする。
【発明の詳細な説明】
【技術分野】
【０００１】
本発明は、撮影時のフォーカス合わせをアシストする（フォーカスガイド）表示を、映像端子に出力可能なカメラに関するものである。
【背景技術】
【０００２】
撮影時のフォーカス合わせをし易くするために、フォーカスの状態を表示するデュアルピクセルフォーカスガイド（フォーカスガイド）機能を有するカメラがある。２Ｋ（１９２０×１０８０ないし２０４８×１０８０）を超える４Ｋ／６Ｋ／８Ｋのような高解像度カメラで難しくなるフォーカス合わせが、フォーカスガイドを用いる事で容易になる、正確に行える、といったメリットが得られる。
【０００３】
また、高解像度の４Ｋ動画撮影が可能で、かつ、出力映像にフォーカスガイドを重畳表示できるカメラがある。映像出力端子としては、ＳＤＩ（Ｓｅｒｉａｌ  Ｄｉｇｉｔａｌ  Ｉｎｔｅｒｆａｃｅ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）等が利用されている。
【０００４】
さらに、コストダウンのため、カメラ本体にＥＶＦ等の表示部材を持たず、映像信号の同時出力が可能な端子を制限したカメラなどもある。
【０００５】
高解像度の動画映像を出力する場合、カメラの内部処理能力によっては、映像出力にフォーカスガイドを表示できない場合がある。たとえば４Ｋカメラによる４Ｋ撮影時に、２Ｋ縮小出力する場合はフォーカスガイドを表示できるが、縮小しない４Ｋ映像を出力する際は、４倍の映像データによる処理能力のひっ迫によって、フォーカスガイド表示を同時処理できない場合である。
【０００６】
このような場合でも、４Ｋ撮影時に４Ｋ出力すること自体に価値があるので、４Ｋ出力時にフォーカスガイドを表示できないとしても、カメラの仕様全体としてユーザーメリットがあるので、この仕様でも十分に製品化は可能である。このように、カメラが今後も高解像度化に進んでいく状況なので、映像出力とそれに付随するフォーカスガイドのような表示機能が、内部処理負荷が高くなる最高解像度や最高フレームレート近傍の撮影時に実行できないことは、将来においても十分に想定される。
【０００７】
また、最高解像度に対応したＴＶやモニタが市場で普及していない場合、カメラの映像出力の初期設定値を、より互換性の高い一段低い解像度にすることで、ユーザーの利便性を確保する方法がある。この場合、ユーザーが設定を変更することで、出力映像を最大解像度に変更できる仕様とするのが一般的である。
【先行技術文献】
【特許文献】
【０００８】
【特許文献１】特開２０１２−０６０５１０号公報
【発明の概要】
【発明が解決しようとする課題】
【０００９】
たとえば４Ｋ３０ｐまでの映像出力に対してフォーカスガイドを表示可能だが、４Ｋ３０ｐを超えるフレームレートの映像出力ではフォーカスガイドを表示できないカメラにおいて、次のような課題が発生する。４Ｋ６０ｐ撮影時の、２Ｋに縮小した６０ｐのＨＤＭＩ出力にフォーカスガイドを表示している状態（カメラ設定の初期値）から、ＨＤＭＩ出力を縮小しない４Ｋ６０ｐに切り替えた場合に、フォーカスガイドが消えてしまうので、正しくフォーカスが合わせられなくなってしまう。
【課題を解決するための手段】
【００１０】
上記課題を解決するための第1の発明は、映像を撮影するカメラにおいて、撮影した映像を出力する映像出力手段と、映像出力手段から出力する映像の解像度を変更する解像度変更手段と、撮影を補助する撮影補助手段を備え、撮影補助手段を使用している状態では、解像度変更手段による解像度の変更を禁止することを特徴とする。
本発明の第２の発明は、請求項1に記載のカメラにおいて、解像度の変更は、解像度を高くする方向にのみ禁止し、解像度を低くする方向への変更は禁止しないことを特徴とする。
本発明の第３の発明は、請求項１に記載のカメラにおいて、解像度の変更は、映像出力手段の伝送帯域が広がる方向に切り替わる場合に限って禁止し、伝送帯域が変わらないか、伝送帯域が狭くなる場合は禁止しないことを特徴とする。
本発明の第４の発明は、請求項1に記載のカメラにおいて、撮影補助手段とは、フォーカス合わせをアシストする機能であることを特徴とする。
本発明の第５の発明は、請求項1に記載のカメラにおいて、解像度を変更する警告を表示する警告表示手段を備え、警告表示を行った場合は、解像度の変更を禁止しないことを特徴とする。
【００１１】
本発明の第６の発明は、請求項1に記載のカメラにおいて、撮影した映像を表示する取り外し可能な表示手段を備え、表示手段が装着された場合は、解像度の変更を禁止しないことを特徴とする。
【発明の効果】
【００１２】
本発明によれば、フォーカスガイドを安定的に使用できるようになるので、撮影時のフォーカスを確実に合わせることができる。
【図面の簡単な説明】
【００１３】
【図１】カメラ１００のハードウェアブロック図である。
【図２】カメラ１００の動作を示すフローチャート１である。
【図３】カメラ１００の動作を示すフローチャート２である。
【図４】カメラ１００の動作を示すフローチャート３である。
【発明を実施するための形態】
【００１４】
以下、図面を参照して本発明の実施形態について説明する。本実施形態では、本発明を適用した一実施形態として、カメラ１００を例にあげる。
図１は、本実施形態に係るカメラ１００の内部構成例を示すハードウェアブロック図である。図１において、バス１０１は、カメラ１００の各ブロックがデータのやり取りを行うためのデータバスであり、カメラ１００の各ブロックはこのバスを介してデータのやり取りを行う。
【００１５】
レンズユニット１０２は、集光のための固定レンズ群、変倍レンズ群、絞り、変倍レンズ群の動きで移動した結像位置を補正する機能と焦点調節を行う機能とを兼ね備えた補正レンズ群により構成されている。レンズユニット１０２によって、最終的に後述のイメージセンサー１０３の結像面上に被写体像が結像される。
【００１６】
イメージセンサー１０３は、光を電荷に変換し撮像信号を生成する。生成された撮像信号は前処理部１０４へ出力される。イメージセンサー１０３は、ＣＣＤイメージセンサやＣＭＯＳイメージセンサなどの撮像素子である。なお、撮像素子として、撮像面上の全ての画素がそれぞれ一対の受光素子により構成され、各画素においてマイクロレンズにより形成された対の光学像を該一対の受光素子により光電変換できる、いわゆるデュアルピクセルタイプのものを用いてもよい。
【００１７】
前処理部１０４は、イメージセンサー１０３より入力され取得した撮像信号をＲＡＷ処理部１０５が受ける事が出来るＲＡＷデータ（ＲＡＷ画像）に変換してＲＡＷ処理部１０５へ出力する。ＲＡＷ処理部１０５は、前処理部１０４にて生成されたＲＡＷデータを所定の比率で縮小した縮小ＲＡＷデータを生成し、ＤＲＡＭ１１３に格納する。同時に、後述する記録用に前処理部１０４にて生成された全画角ＲＡＷデータをそのまま、ＤＲＡＭ１１３に格納する。４Ｋの画像を記録するモードにおいて、ＨＤＭＩ端子１１８から４Ｋの全画角の映像信号を出力する場合には、縮小ＲＡＷデータは生成されない。
【００１８】
画像生成部１０６は、ＲＡＷ処理部１０５が生成した縮小ＲＡＷデータ、及び全画角ＲＡＷデータに対して補間処理や画質調整処理等のＲＡＷ現像処理を行ってそれぞれのＲＡＷデータに対応したＹＵＶ形式の画像データ（切り出しＹＵＶデータ、縮小ＹＵＶデータ、全画角ＹＵＶデータ）を生成し、ＤＲＡＭ１１０に格納する。
【００１９】
操作部１０７は、ユーザが操作入力するためのものであり、例えばタッチパネルや操作キー（ボタン、ダイヤル、レバー等）などである。ユーザーが操作部１０７を操作すると、操作情報は制御部１０８に通知される。制御部１０８は、ＣＰＵ（Ｃｅｎｔｒａｌ  Ｐｒｏｃｅｓｓｉｎｇ  Ｕｎｉｔ）などにより構成される処理部であり、カメラ１００が備える各ブロックを制御する。ＲＡＭ（Ｒａｎｄｏｍ  Ａｃｃｅｓｓ  Ｍｅｍｏｒｙ）１０９は、制御部１０８が作業領域として使用する揮発性メモリである。
【００２０】
ＤＲＡＭ（Ｄｙｎａｍｉｃ  Ｒａｎｄｏｍ  Ａｃｃｅｓｓ  Ｍｅｍｏｒｙ）１１０は、カメラ１００の各ブロックが作業領域として使用する揮発性メモリである。なお、このＤＲＡＭ１１０には、所定期間に読み書き（リード／ライト）できるデータ量（読み出し速度／書き込み速度）に上限があり、その上限を超えてデータの読み書きを行うことは出来ない。なお、ＤＲＡＭ１１０は、ＤＲＡＭとは異なる機構による、高速な揮発性メモリや不揮発性メモリと置き換えることもできる。また、ＲＡＭ１０９とＤＲＡＭ１１０は同一の記憶装置上に共存する構成であっても構わない。
【００２１】
ＲＯＭ（Ｒｅａｄ  Ｏｎｌｙ  Ｍｅｍｏｒｙ）１１１は、制御部１０８が実行するプログラムなどが格納された不揮発性の記録媒体であり、例えばＦｌａｓｈＲＯＭで構成される。あるいは、記録媒体１１５に格納されたプログラムデータをＲＡＭ１０９にロードし、ＲＯＭとして利用しても構わない。
【００２２】
フォーカスガイド部１１２は、画像生成部１０６が生成したＹＵＶデータに対し、フォーカスガイド情報を生成し、ＯＳＤ部１１３に送信する。なお、フォーカスガイド部１１２は、制御部１０８による本体のメニュー設定などの状態に応じて、有効化するか否かを制御される。フォーカスガイドが有効化されている場合、フォーカスガイド情報からフォーカスガイド表示を生成して、映像に重畳して表示することで、ユーザーのフォーカス合わせをアシストする。
【００２３】
オンスクリーンディスプレイ（ＯＳＤ）部１１３は、各種設定メニューや顔枠などのＯＳＤデータ（表示アイテム）、フォーカスガイド表示を生成し、ＤＲＡＭ１１０に配置する。動画像圧縮部１１４は、ＤＲＡＭ１１０に格納された画像生成部１０６にて生成された全画角ＹＵＶデータをＭＰＥＧ形式で圧縮し、動画像データとしてＤＲＡＭ１１０に格納する。メディア制御部１１５は、動画像圧縮部１１４で生成され、ＤＲＡＭ１１０に格納されている動画像圧縮部１１４により生成された動画像データをＦＡＴファイルシステムなどコンピュータと互換のあるフォーマットに従って、記録媒体１１６に記録する。
【００２４】
記録媒体１１６は、例えばメモリーカードなどがあげられる。この記録媒体は、カメラ１００から取り外し可能な着脱可能記録媒体であり、カメラ１００以外にもＰＣ等に装着する事ができる。ＨＤＭＩ出力部１１７は、ＤＲＡＭ１１０に格納されたＹＵＶデータとＯＳＤデータを合成して外部出力用信号としてＨＤＭＩ１１８へ出力する。尚、ＯＳＤデータの合成は必ずしも行わなくても良く、操作部１０７からの操作で切り替え可能であってもよい。ＨＤＭＩ１１８は、ＨＤＭＩ出力部１１７より入力される外部出力用信号をＨＤＭＩ形式に変更し外部に出力する。
【００２５】
なお、本実施例では映像出力手段としてＨＤＭＩを例にして説明するが、本発明はＨＤＭＩに限定するものではなく、たとえばＳＤＩやＤｉｓｐｌａｙＰｏｒｔ等であってもよい。
【００２６】
続いて、図２〜図４のフローチャートに基づいて、カメラ１００の本発明に係る動作を説明する。これらのフローは、ＲＯＭ１１１に格納されたプログラムに基づいて、制御部１０８がカメラ１００の各部を制御することによって実現されるものである。
【００２７】
図２は、本発明に係るＨＤＭＩ出力の解像度変更に関する動作を示すフローチャート１である。Ｓ２０１は、ＨＤＭＩ出力映像の解像度を変更する処理の開始であり、ユーザーが操作部１０７を操作してカメラメニュー内のＨＤＭＩ出力解像度の変更を実行した際に処理される。Ｓ２０１は、フォーカスガイド実行中か否かを判定する。実行中であればＳ２０３へ移行する。実行中でなければ、Ｓ２０４へ移行する。Ｓ２０３では、仮にＨＤＭＩ解像度の変更を実施したとして、その後もフォーカスガイドが継続的に表示できるか否かを判定する。ＨＤＭＩ解像度変更後にフォーカスガイドを継続できないと判定された場合は、Ｓ２０５へ遷移して処理を終了する。
【００２８】
継続できると判定した場合は、Ｓ２０４へ移行する。Ｓ２０３での具体的な判定方法としては、解像度が高くなる方向への変更を禁止して、解像度を低くする変更は禁止しないように判定してもよい。あるいは、ＨＤＭＩ出力の解像度だけでなく、フレームレート等カメラの処理負荷に影響する要素を複数組み合わせて判定してもよい。Ｓ２０４ではＨＤＭＩ出力解像度を変更する。Ｓ２０５は処理を終了する。
【００２９】
図３は、本発明に係るＨＤＭＩ出力の解像度変更に関する動作を示すフローチャート２である。Ｓ３０３を除くＳ３０１〜Ｓ３０５は、それぞれ図２におけるＳ２０１〜Ｓ２０５と同じ処理のため、説明を省略する。Ｓ３０３は、ＨＤＭＩ解像度を変更するために、ＨＤＭＩの伝送帯域に当たるピクセルクロックを速くする必要があるか否かを判定する。ピクセルクロックが速くなり伝送帯域が広がると判定された場合は、Ｓ３０５へ遷移して処理を終了する。ピクセルクロックが変わらない、或いは遅くなると判定した場合は、電装帯域が広がらないのでＳ３０４へ移行する。
【００３０】
図４は、本発明に係るＨＤＭＩ出力の解像度変更に関する動作を示すフローチャート３である。Ｓ４０１〜Ｓ４０３とＳ４０５〜Ｓ４０６は、それぞれ図２におけるＳ２０１〜Ｓ２０３とＳ２０４〜Ｓ２０５と同じ処理のため、説明を省略する。Ｓ４０４は、フォーカスガイド表示が継続できない旨をユーザーに警告表示を行う。この場合、Ｓ４０５へ移行してＨＤＭＩ出力解像度を変更する。
【００３１】
＜変形例＞
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００３２】
また、上述した実施形態においては、本発明をイメージセンサー１０３を有するカメラ１００に適用した場合を例にして説明したが、これはこの例に限定されず、入力された画像をリサイズして表示するように制御する電子機器であれば適用可能である。例えば、外部入力端子から入力された動画像を、拡大して表示装置に出力するとともに、外部または内蔵の記録媒体に記録するような動画レコーダーに適用可能である。同様に、本発明はパーソナルコンピュータやＰＤＡ、携帯電話端末や携帯型の画像ビューワ、ディスプレイを備えるプリンタ装置、デジタルフォトフレーム、などに適用可能である。また、音楽プレーヤー、ゲーム機、電子ブックリーダー、タブレット端末、スマートフォン、投影装置、ディスプレイを備える家電装置や車載装置などに適用可能である。
【００３３】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００３４】
１００  カメラ
１０１  バス
１０２  レンズユニット
１０３  イメージセンサー
【図１】
2019110372.tif 000003
【図２】
2019110372.tif 000004
【図３】
2019110372.tif 000005
【図４】
2019110372.tif 000006